(57)【要約】【課題】キャップと容器の口部との嵌合箇所内に内容物が付着することを防ぎ、容器内の気密性を確実に保持することができるキャップを提供することを目的とする。【解決手段】容器本体２の口部３を封止するキャップ部９と、前記容器本体２の内容物１を計り出す計量部８と、を備え、前記キャップ部９は、計量部８の外周側に、容器本体２の口部３を収容する断面凹状をし且つ封止手段１２を備えた嵌合部７を下向きに備え、前記計量部８は、容器本体２の口部３内に挿嵌し且つその開口部１１を上向きに備えていることを特徴とする。【選択図】        図１
2005029207.tif 000002
【特許請求の範囲】
【請求項１】
容器本体（２）の口部（３）を封止するキャップ部（９）と、前記容器本体（２）の内容物（１）を計り出す計量部（８）と、を備え、前記キャップ部（９）は、計量部（８）の外周側に、容器本体（２）の口部（３）を収容する断面凹状をし且つ封止手段（１２）を備えた嵌合部（７）を下向きに備え、前記計量部（８）は、容器本体（２）の口部（３）内に挿嵌し且つその開口部（１１）を上向きに備えていることを特徴とするキャップ。
【発明の詳細な説明】
【０００１】
【発明が属する技術分野】
本発明は、粉末状や液体状の入浴剤や洗剤及び調味料等を収容するボトル等の容器の口部を封止するキャップに関するものであり、さらに詳しくは、容器内の内容物を計量して一定量を計り出すことができるキャップに関するものである。
【０００２】
【従来の技術】
従来のこの種のキャップは図３に示すように、筒状の外周壁２０の上面に天壁２１を設け、該天壁２１には外周壁２０から中心部に向かって筒状のネジ部２２及び計量部２３が順に垂下して設けてある。ネジ部２２は容器本体２４の口部２５外周に形成された雄ネジ２６が嵌合するようにネジ部２２内周に雌ネジ２７を形成し、計量部２３は容器本体２４の口部２５内に挿嵌されるようにように構成されている。容器本体２４の口部２５にキャップを螺合させた場合に、容器本体２４内の気密性を保持するために、口部２５上端と当接する天壁２１の計量部２３とネジ部２２の間にはシール部材２８を備えている。すなわち、容器本体２４から内容物２９を一定量を計り出す場合、容器本体２４からキャップを取り外し、キャップの上下を逆さまにしてキャップの開口部を上向きにすると共に、キャップの内側に設けられた計量部２３内に内容物２９を移し替えることで一定量の内容物２９を容易に計り出すことができるものである。
【０００３】
【発明が解決しようとする課題】
しかしながら、上記の従来例においては、計量部２３とネジ部２２の開口方向が同方向であるため、容器本体２４内の内容物２９の一定量を計量部に移し替える際に、計量部２３がキャップの中心部付近に形成されていることもあり、計量部２３内に内容物２９がうまく入らずネジ部２２にこぼれてしまうことが多く、特に内容物２９が粉末状の場合には、キャップのネジ部２２に内容物２９が付着し目詰まりを起こしてしまい、キャップの開閉操作を行う際に不快な音を発生してしまう問題があった。また、シール部材２８を備えた箇所にも内容物２９が付着してしまいシール性が悪くなり、キャップを容器本体２４の口部２５に螺合させた際に容器本体２４内の気密性が保持されず、容器本体２４内に水分が浸入して内容物２９に湿気を含み、容器本体２４の内部で内容物２９が固まってしまい最悪の場合は内容物２９を取り出すことが不可能になてしまう危険性もある。
【０００４】
そこで、本発明は、このような事情に基づいて成されたものであり、キャップと容器の口部との嵌合箇所内に内容物が付着することを防ぎ、容器内の気密性を確実に保持することができるキャップを提供することを目的とする。
【０００５】
【課題を解決するための手段】
上記目的を達成するために、本発明のうち請求項１記載の発明は、容器本体の口部を封止するキャップ部と、前記容器本体の内容物を計り出す計量部と、を備え、前記キャップ部は、計量部の外周側に、容器本体の口部を収容する断面凹状をし且つ封止手段を備えた嵌合部を下向きに備え、前記計量部は、容器本体の口部内に挿嵌し且つその開口部を上向きに備えていることを特徴とする。
ここで、封止手段に関しては、容器本体の口部を完全に封止し容器本体内の気密状態を保持することが可能な手段であれば特に限定するものではなく、例えばネジによる螺合の場合や、弾力を利用してスナップ式に係合する場合等が挙げられる。
【０００６】
このように構成することで、キャップ部と計量部とが上下方向にそれぞれ異なる方向に完全に仕切られて形成されるため、容器本体内の内容物を計量部で計り出す際に、キャップ部の嵌合部内、特に容器本体の口部の外周面及び口部上端との当接箇所に内容物が付着することを確実に防ぐことが可能であるため、容器本体の口部にキャップを着脱する作業を非常にスムーズに行うことができると共に、容器本体の口部をキャップで封止した際の容器本体内の気密性を確実に保持することができ、内容物を長期間に亘り保存することができる。ここで、容器本体内の気密性をより一層確実に保持するために、容器本体の口部の上端とキャップの嵌合部の上端部との当接箇所にはシール部材を備えることが望ましい。また、それはシール部材だけに限定されるものではなく、パッキンやＯリング等気密性を保持することが可能な様々な部材を挙げることができる。計量部の内面には、内容物の一定量を容易に計り出すことができるように目盛りを備えることが望ましい。
【０００７】
【発明の実施の形態】
以下、本発明の実施形態の一例を図面に基づいて説明する。図１は本発明のキャップを容器本体に螺合させた状態を示す拡大断面図であり、図２はキャップを容器本体から取り外した状態を示す断面図である。
【０００８】
本発明のキャップは、粉末状の内容物１を収容したアルミボトル２の口部３に螺合し口部３を封止すると共に、内容物１の一定量を計り出すキャップであり、筒状を成した外周壁４と、外周壁４の上端から断面下向き凸状に設けられた底面を備える筒状の境界壁５と、外周壁４から垂直方向に張り出した境界壁５の水平部６から垂下して設けられた筒状の嵌合部７と、から構成され、これらをポリプロピレン（ＰＰ）やポリエチレン（ＰＥ）等のプラスチックにより一体的に形成してある。このように形成されたキャップは、境界壁５を境に境界壁５の内側を計量部８、外側をキャップ部９とし、計量部８とキャップ部９とが境界壁５を共有するように構成してあり、キャップの天面側は全て計量部８の口部１１としている。外周壁４の上端部分（計量部８の口部１１）は上端に向かってやや外側に広がるように形成されており、外周壁４の下端と境界壁５の底面は面一になっている。嵌合部７は外周壁４よりも上下方向に短く形成され、完全にキャップ部９の内部に収まるように形成されており、嵌合部７の内周面にはアルミボトル２の口部３と螺合する雌ネジ１２が形成されている。嵌合部７の上端部である境界壁５の水平部６の下面にはシール１０が備えられている。
【０００９】
上記のように構成されたキャップが螺合することによって口部３が封止されるアルミボトル２は、内容物１を出し入れする口部３と、内容物１を収容する胴部１３と、肩部１４と、から構成され、これらはインパクト成形又は絞りしごき加工（ＤＩ加工）により一体的に形成されている。口部３は円筒形状を成しており、上端部分の外周面にはキャップの嵌合部７の雌ネジ１２と螺合するように雄ネジ１５が形成してある。胴部１３は円筒形状を成しており、胴部１３の底壁は中心部に向かって内側に窪むように形成されている。
【００１０】
アルミボトル２の口部３にキャップを螺合する場合、キャップの計量部８をアルミボトル２の口部３内に挿入し、キャップの嵌合部７に形成された雌ネジ１２の下端とアルミボトル２の口部３に形成された雄ネジ１５の上端とが当接したら、キャップを外周方向に回転させてキャップの嵌合部７とアルミボトル２の口部３とを螺合させる。アルミボトル２の口部３の上端がキャップの境界壁５の水平部６に当接し且つキャップの外周壁４の下端がアルミボトル２の肩部１４に係止することで、アルミボトル２の口部３が完全に封止されると共に、アルミボトル２内の気密状態を保持することができる。
【００１１】
アルミボトル２内に収容した内容物１を計り出す場合、アルミボトル２の口部３に螺合したキャップを取り外し、キャップの天面に設けられた計量部８の口部１１から計量部８内に内容物１を移し替えることで、内容物１を一定量計り出すことができる。計量部８の口部１１がキャップの天面の全面に形成され且つ口部１１（外周壁４の上端部分）が僅かに外側に向かって広がっているため、内容物１を計量部８内に移し替える際に計量部８の外部に内容物１が溢れることを防ぐことができ、作業が非常に容易なものとなる。また、内容物１の一定量を計量部８内に計り出した後、それを別の容器や使用機器等に移し替える際にも外部に内容物１が零れることなく、計量部８内に計り出した内容物１の全量を確実且つ容易に移し替えることができる。
【００１２】
尚、上記実施形態は本発明の一例を示したものであり、必ずしもこれに限定されるものではない。例えば、封止手段としては、前記実施形態で示したネジによる螺合に代えて、嵌合部７の内面と容器本体２の口部３とにそれぞれリング状の凹条と凸条を設け、弾力を利用してスナップ式に凹凸が係合するように構成してもよい。また、容器本体２を樹脂ボトルにすることで、容器本体２内に収容する内容物１を液体状の洗剤等にした場合に非常に好適なものとなる。
【００１３】
【発明の効果】
請求項１記載の発明によれば、キャップ部と計量部とが上下方向にそれぞれ異なる方向に完全に仕切られて形成されているため、容器本体内の内容物を計量部で計り出す場合に、キャップ部の嵌合部内に内容物が付着することを完全に防ぐことが可能となり、容器本体の口部にキャップを着脱する作業のスムーズ化を図ることができると共に、容器本体の口部をキャップで封止した際の容器本体内の気密性を確実に保持することができ、内容物の良好な状態を長期間に亘り保つことができる非常に優れたキャップを提供することができる。
【図面の簡単な説明】
【図１】本発明のキャップを容器本体に螺合させた状態を示す拡大断面図である。
【図２】本発明のキャップを容器本体から取り外した状態を示す断面図である。
【図３】（ａ）（ｂ）従来のキャップを容器本体に螺合させた状態及び取り外した状態を示す断面図である。
【符号の説明】
１  内容物
２  アルミボトル（容器本体）
３  口部
７  嵌合部
８  計量部
９  キャップ部
１１  口部（開口部）
１２  雌ネジ（封止手段）
【図１】
2005029207.tif 000003
【図２】
2005029207.tif 000004
【図３】
2005029207.tif 000005